(57)【要約】【課題】  家族間でのプライバシーを守りつつ同時に家族の様子を窺うことができ、洗濯に必要な一連の作業を効率的に行うことのできる家事室廻りの構造を提供することを目的とする。【解決手段】  家事室廻りの構造１は、洗面室３と、洗面室３で洗濯された洗濯物１４を畳むための家事室５と、の間に洗濯物１４を干すための間仕切収納４を設けた構造であって、間仕切収納４は、洗面室３側及び家事室５側の両側から洗濯物１４を出し入れ可能であるとともに、洗面室１４側に開閉可能な第１間仕切戸４ａを設置される。【選択図】図２
2020063630.tif 000002
【特許請求の範囲】
【請求項１】
洗面室と、前記洗面室で洗濯された洗濯物を畳むための家事室と、の間に前記洗濯物を干すための間仕切収納を設けた家事室廻りの構造であって、
前記間仕切収納は、前記洗面室側及び前記家事室側の両側から前記洗濯物を出し入れ可能であるとともに、前記洗面室側に開閉可能な第１間仕切戸を設置されることを特徴とする家事室廻りの構造。
【請求項２】
前記家事室は、前記洗濯物を収納するウォークインクローゼットに行き来可能に隣接することを特徴とする請求項１に記載の家事室廻りの構造。
【請求項３】
前記家事室は、前記洗濯物を吊るし、上下方向へ移動する可動バーと、前記洗濯物にアイロンを掛けるためのアイロン台と、を具備した家具を有し、
前記可動バーは、前記アイロン台の上方に設置され、
前記アイロン台は、水平方向へスライド可能であることを特徴とする請求項１又は請求項２に記載の家事室廻りの構造。
【請求項４】
前記間仕切収納は、前記家事室側に開閉可能な第２間仕切戸を設置されることを特徴とする請求項１から請求項３のいずれかに記載の家事室廻りの構造。
【請求項５】
前記間仕切収納は、前記洗濯物を干すためのハンガーパイプと、設置高さを調整可能な可動棚と、を有することを特徴とする請求項１から請求項４のいずれかに記載の家事室廻りの構造。
【請求項６】
前記家事室は、居室に行き来可能に隣接することを特徴とする請求項１から請求項５のいずれかに記載の家事室廻りの構造。
【発明の詳細な説明】
【技術分野】
【０００１】
本発明は、洗面室と、洗面室で洗濯された洗濯物を畳むための家事室と、の間に洗濯物を干すための間仕切収納を設けた家事室廻りの構造に関する。
【背景技術】
【０００２】
洗濯は、洗濯物を洗う、干す、アイロンを掛ける、畳む、収納する、という一連の作業を行う必要があり、従来よりこの洗濯工程の効率を向上させるための住宅のレイアウトが提案されている。例えば、特許文献１の発明では、洗濯物を洗濯する洗面室と洗濯物を畳んで収納する収納室との間に洗濯物を干すためのバルコニーを設けることで、洗濯物を洗ってから畳んで収納するまでに必要な洗濯動線を極力短くすることができる。
【０００３】
また特許文献２の発明には、浴室に隣接し、脱いだ衣類等を洗濯する洗面スペースと乾いた洗濯物にアイロン掛けを行う家事スペースとの間に間仕切棚を設置し、間仕切棚に設けられた開口部を通じて両スペース間で洗濯物を受け渡すことができるとともに、この開口部をアイロン台として使用できる点が開示されている。この発明では、２つのスペースを行き来することなく洗濯物を受け渡してアイロンを掛けることができるので、家事効率を向上させることができる。
【先行技術文献】
【特許文献】
【０００４】
【特許文献１】特開２００８−２０２２２７
【特許文献２】実開平３−１１７０５７
【発明の概要】
【発明が解決しようとする課題】
【０００５】
しかしながら特許文献１の発明では、洗面室からバルコニーへ移動して洗濯物を干し、また、バルコニーで乾いた洗濯物を収集してから収納室へ移動して洗濯物を畳み収納する必要があるため、洗濯工程を行うために各室間を行き来しなければならず移動に手間がかかる。また小さな子供のいる家庭では、極力子供を視界に入れて家事を行いたいという要望があるが、特許文献１の発明のように各室間が間仕切られたレイアウトでは他室にいる子供を視認することは難しい。そして、特許文献２の発明は、洗面スペースと家事スペースとを行き来することなく洗濯工程の一部を行うことができるものの、両スペースを同時に使用する場合、脱衣室でもある洗面スペースの使用者のプライバシーを守ることができない。
【０００６】
そこで、本発明は、上述した課題を鑑みてなされたものであって、家族間でのプライバシーを守りつつ同時に家族の様子を窺うことができ、洗濯に必要な一連の作業を効率的に行うことのできる家事室廻りの構造を提供することを目的とする。
【課題を解決するための手段】
【０００７】
本発明の第１の家事室廻りの構造は、洗面室と、前記洗面室で洗濯された洗濯物を畳むための家事室と、の間に前記洗濯物を干すための間仕切収納を設けた家事室廻りの構造であって、前記間仕切収納は、前記洗面室側及び前記家事室側の両側から前記洗濯物を出し入れ可能であるとともに、前記洗面室側に開閉可能な第１間仕切戸を設置されることを特徴としている。
【０００８】
本発明の第２の家事室廻りの構造は、前記家事室が、前記洗濯物を収納するウォークインクローゼットに行き来可能に隣接することを特徴としている。
【０００９】
本発明の第３の家事室廻りの構造は、前記家事室が、前記洗濯物を吊るし、上下方向へ移動する可動バーと、前記洗濯物にアイロンを掛けるためのアイロン台と、を具備した家具を有し、前記可動バーは、前記アイロン台の上方に設置され、前記アイロン台は、水平方向へスライド可能であることを特徴としている。
【００１０】
本発明の第４の家事室廻りの構造は、前記間仕切収納が、前記家事室側に開閉可能な第２間仕切戸を設置されることを特徴としている。
【００１１】
本発明の第５の家事室廻りの構造は、前記間仕切収納が、前記洗濯物を干すためのハンガーパイプと、設置高さを調整可能な可動棚と、を有することを特徴としている。
【００１２】
本発明の第６の家事室廻りの構造は、前記家事室が、居室に行き来可能に隣接することを特徴としている。
【発明の効果】
【００１３】
本発明の第１の家事室廻りの構造によると、洗面室と洗面室で洗濯された洗濯物を畳むための家事室との間に、洗濯物を干すための間仕切収納を設けており、間仕切収納は洗面室側及び家事室側の両側から洗濯物を出し入れ可能であるので、洗った洗濯物を洗面室側から間仕切収納に干し、乾いた洗濯物を家事室側から取り出して畳むことができる。したがって、洗濯室と家事室とを行き来することなく洗濯物を洗う、干す、畳むまでの洗濯工程を円滑に行うことができ、家事効率を向上させることができる。また、間仕切収納は、洗面室側に開閉可能な第１間仕切戸を設置されているので、洗面室の使用者が着替えなどで家事室側からの視線を遮りたい場合は、第１間仕切戸を閉めることで視線を遮断することができ、使用者のプライバシーを守ることができる。
【００１４】
本発明の第２の家事室廻りの構造によると、家事室はウォークインクローゼットと行き来可能に隣接しているので、畳んだ洗濯物をすぐにウォークインクローゼットへ収納することができる。したがって、洗濯物を洗う、干す、畳む、収納するまでの一連の洗濯工程を円滑に行うことができ、家事効率を向上させることができる。
【００１５】
本発明の第３の家事室廻りの構造によると、家事室は、洗濯物を吊るし、上下方向へ移動する可動バーと、洗濯物にアイロンを掛けるためのアイロン台とを具備した家具を設置されているので、間仕切収納から取り出した洗濯物がアイロン掛けを必要とする場合は、可動バーに洗濯物を吊るして立位のままスチームアイロンでアイロン掛けを行ったり、洗濯物をアイロン台に広げた状態でアイロン掛けを行うことができる。また、可動バーは、アイロン台の上方に設置されるので、設置幅を抑えたコンパクトな家具とすることができる。そして、アイロン台は水平方向へスライド可能であるので、可動バーに吊るす洗濯物が長物である場合は、アイロン台をスライド移動させることにより洗濯物をアイロン台に干渉させることなく吊るすことができる。
【００１６】
本発明の第４の家事室廻りの構造によると、間仕切収納は、家事室側に開閉可能な第２間仕切戸を設置されるので、洗面室側からの視線を遮りたい場合は、第２間仕切戸を閉めることによって視線を遮断することができる。また、第２間仕切戸を閉めることによって洗濯物やハンガーなどの雑多なものを隠蔽することができるので、家事室をすっきりとした印象の室とすることができる。
【００１７】
本発明の第５の家事室廻りの構造によると、間仕切収納は、洗濯物を干すためのハンガーパイプと、設置高さを調整可能な可動棚と、を有するので、洗った洗濯物を洗面室側からハンガーパイプに干し、乾いて畳まれたタオルなどを家事室側から可動棚に収納することができる。
【００１８】
本発明の第５の家事室廻りの構造によると、家事室は居室と行き来可能に隣接しているので、疎外感を感じることなく居室で過ごす家族の気配を感じながら家事をすることができる。また、家事室で行う洗濯工程の家事から居室で行う家事へとスムーズに移行しやすく家事効率を向上させることができる。
【図面の簡単な説明】
【００１９】
【図１】家事室廻りの構造を示す平面図。
【図２】図１のＡ―Ａ線断面図。
【図３】アイロン台をスライド移動させた様子を示す断面図。
【図４】第２間仕切戸を閉めた状態の図１のＢ−Ｂ線断面図。
【図５】図１のＣ−Ｃ線断面図。
【発明を実施するための形態】
【００２０】
以下、本発明に係る家事室廻りの構造の最良の実施形態について各図を参照しつつ説明する。本願の家事室廻りの構造は、主に住戸面積の制約を受けやすい集合住宅や狭小な住宅に用いられるものであるが、戸建て住宅に用いることもできる。
【００２１】
図１は、本発明の家事室廻りの構造１を備えた住宅２の配置構成の一例を示している。なお、本実施形態では、図１における上下左右の方向をそれぞれ北南西東の方向として説明するが、上下左右の方向をそれぞれ別方向としてもよい。住宅２は、脱衣した衣類などを洗濯する洗面室３、洗面室３の南側に配置される間仕切収納４を挟んで洗面室３と対向する家事室５、家事室５の西側に配置される第１ウォークインクローゼット６、洗面室３の西側に配置される第２ウォークインクローゼット７及び浴室８、第１ウォークインクローゼット６の南側に配置される寝室９、家事室５の東側に配置されるダイニング１０、ダイニング１０の南側に配置されるリビング１１、ダイニング１０の北側に位置するキッチン１２及び廊下１３、を具備している。なお、家事室５と、浴室８を除くその他の室とは、床の高さが略同一に形成されている。
【００２２】
図１に示すように、洗面室３は、第２クローゼット７及び浴室８と行き来可能に隣接するとともに、廊下１３を挟んでキッチン１２と対向している。また、洗面室３は脱衣室を兼ねており、入浴や着替えのために脱衣した衣類などは洗面室３の片隅に置かれた洗濯機３１で洗濯される。
【００２３】
図１及び図４に示すように、間仕切収納４は、収納した物品を洗面室３から家事室５へ受渡し可能な受渡し部４１と、廊下１３寄りに設けられ、家事室５側から使用可能な戸棚４２と、から構成されており、間仕切収納４の東西側に配置され、南北方向に延びる第１間仕切壁Ｗ１及び第２間仕切壁Ｗ２によって浴室８及び廊下１３と間仕切られている。図２に示すように、受渡し部４１は洗面室３及び家事室５に面しており、それぞれの室３、５側から開閉可能な第１間仕切戸４ａ及び第２間仕切戸４ｂが設けられている。また、受渡し部４１には、天井に近接する位置に配置されるハンガーパイプ４ｃと、ハンガーパイプ４ｃの下方に配置される複数の可動棚４ｄと、が設置されており、このハンガーパイプ４ｃに洗面室３で洗濯した洗濯物１４を干すことができる。
【００２４】
図２に示す床面Ｆからハンガーパイプ４ｃの上端までの第１距離Ｈ１は特に限定されないが、１７００ｍｍ〜２０００ｍｍ程度とすることが望ましい。また、床面Ｆから一番上部に設置される可動棚４ｄの上面までの第２距離Ｈ２は、７００〜１０００ｍｍ程度以下で形成されており、男女共に無理なく洗濯物１４をハンガーパイプ４ｃに掛けることができる。そして、可動棚４ｂの設置高さを調整することで、洗濯物１４がカッターシャツなどの比較的丈のある衣類であっても裾が可動棚４ｂの上面に当接して摺れることを防止できる。
【００２５】
また複数の可動棚４ｄは、図４に示すように、第１間仕切壁Ｗ１及び戸棚４２の側板４ｅに設置された上下方向へ移動可能な可動フック４ｆの上部に載置されており、可動フック４ｆを所望する高さへ移動させることによって可動棚４ｄの高さを自由に調整することができる。この可動棚４ｄに、例えば洗濯して畳んだタオル類などを収納しておけば、入浴時や洗面時に洗面室３側から使用することができる。なお可動棚４ｄの可動手段は、可動棚４ｄを上下方向へ移動させることができるならば可動フック４ｆ以外の手段を用いてもよい。そして、戸棚４２には、複数の棚板が設置されており、家事室５で使用する家事用品などを設置しておくことができる。なお、戸棚４２は必ずしも設置する必要はなく、間仕切収納４の間口全体を受渡し部４１としてもよい。
【００２６】
図１に示すように、家事室５は、第１ウォークインクローゼット６及びダイニング１０と行き来可能に隣接しており、家事室５とダイニング１０との間に形成される出入口１０ａには扉や引き戸が設置されていない。家事室５は、間仕切収納４に干されて乾いた洗濯物１４を取り出して畳むためのスペースであり、必要に応じて洗濯物１４にアイロン掛けを行うことができる。
【００２７】
図２及び図５に示すように、家事室５には、間仕切収納４と対向し、第１間仕切壁Ｗ１と第２間仕切壁Ｗ２との間に造り付けされる家具５１が設置されている。この家具５１は、洗濯物１４を吊るし、上下方向へ移動する可動バー５ａと、洗濯物１４にアイロンを掛けるためのアイロン台５ｂと、可動バー５ａの上方に形成される収納棚５ｃと、収納棚５ｃの下端面に設置される照明５ｄと、を具備している。可動バー５ａはアイロン台５ｂの上方に設置される電動のバーであり、付近に設置されたスイッチ（図示せず）を操作することで上下方向に移動する。図２に示すように、可動バー５ａを所望する高さに移動させて、アイロン掛けが必要な衣類などの洗濯物１４を可動バー５ａに吊るせば、立位のまま洗濯物１４にスチームアイロンを掛けることができる。また、平板状のアイロン台５ｂは、図１及び図３に示すように、第１間仕切壁Ｗ１と第２間仕切壁Ｗ２に設置されたレール（図示せず）にスライド自在に設置されており、アイロンを掛ける際は間仕切収納４側へ水平移動させて座位状態で使用することができる。
【００２８】
図３に示す床面Ｆから収納棚５ｃの下端までの第３距離Ｈ３は、１４００ｍｍ〜１５００ｍｍ程度であり、床面Ｆからアイロン台５ｂの上面までの第４距離Ｈ４は、３００ｍｍ〜４００ｍｍ程度で形成される。このような高さであれば、立位及び座位のどちらの状態であっても無理なく洗濯物１４にアイロンを掛けることができる。また、可動バー５ａに吊るす洗濯物１４の丈が長い場合は、アイロン台５ｂを間仕切収納４側へスライドさせることによりアイロン台５ｂが洗濯物１４と干渉することを防止できる。このように可動バー５ａをアイロン台５ｂの上方に設けているので、設置幅を抑えたコンパクトな家具５１とすることができ、家事室５の空間をより有効利用することができる。
【００２９】
収納棚５ｃには、家事に使用するアイロンやアイロンを掛ける際に使用するスプレーなどの備品を収納することができるが、それ以外のものを収納してもよい。例えば、家事室５を家事を行うだけの部屋として使用するのではなく、図３及び図５に示すように、アイロン台５ｂと収納棚５ｃとの間に鏡５ｅを設置して主婦のためのドレッサーとしても使用する場合は、収納棚５ｃに化粧品などを収納しておいてもよい。また、幼い子供のいる家庭で、家事室５で子供を見守りながら家事をしたい場合は、収納棚５ｃに子供の玩具やおむつなどを収納しておいてもよい。このとき、先述したように床面Ｆから収納棚５ｃの下端までの第３距離Ｈ３は幼児の手の届かない１４００ｍｍ〜１５００ｍｍ程度であるため、幼い子供が家事用備品に触れたり化粧品などを誤飲したりする事故を防止することができる。また、家事室５は、浴室８を除くその他の室と床の高さが略同一に形成されているので、子供が家事室５から別の部屋へ移動しようとした場合であっても床の段差に躓いて怪我をすることを防止できる。
【００３０】
続いて、家事室廻りの構造１の具体的な使用方法について説明する。まず、入浴や着替えなどのために脱いだ衣服類は、図１に示す洗面室３内の洗濯機３１で洗濯される。洗濯された洗濯物１４は、晴天時や日中であれば外部のバルコニーや庭などに干されるが、雨天時や夜間、また洗濯物１４が下着類である場合など外部に干すことが難しい場合は、図２に示す間仕切収納４のハンガーパイプ４ｃに干される。このとき、第１間仕切戸４ａを開けておけば、洗面室３に設置された換気扇によって効率的に洗濯物１４を乾かすことができる。また、洗濯機３１が乾燥機能を備えている場合は、昼夜問わず乾燥した洗濯物１４を間仕切収納４のハンガーパイプ４ｃに掛けておけばよい。
【００３１】
間仕切収納４内の洗濯物１４が乾いたら、家事室５側から第２間仕切戸４ｂを開けて洗濯物１４を取り出し、畳んだり必要に応じて家具５１を使用してアイロン掛けを行い、最後に家事室５に隣接する第１ウォークインクローゼット６に洗濯物１４を収納する。
【００３２】
このように、間仕切収納４は、洗面室３及び家事室５側にそれぞれ間仕切戸４ａ、４ｂを設置されているので、洗濯物１４を洗う、干す、畳む、アイロンを掛けるまでの洗濯工程を両室３、５間を行き来することなく行うことができ、家事効率を向上させることができる。また、家事室５は第１ウォークインクローゼット６と行き来可能に隣接しているので、洗濯物１４を洗ってから収納するまでの一連の洗濯工程をスムーズに行うことができる。
【００３３】
そして、間仕切収納４に設置された各間仕切戸４ａ、４ｂは、洗面室３及び家事室５の使用者によってそれぞれ開閉されるので、間仕切収納４を挟んで対向する室からの視線を遮断したい場合は、各室３、５の使用者がそれぞれの間仕切戸４ａ、４ｂを閉めておけば自身のプライバシーを守ることができる。例えば、洗面室３の使用者が脱衣時に家事室５の使用者からの視線を遮断したい場合は第１間仕切戸４ａを閉めておけばよく、反対に家事室５の使用者が集中して家事を行いたい場合などは第２間仕切戸４ｂを閉めておけば洗面室３の使用者からの視線を遮ることができる。そして、幼い子供を家事室５に滞在させた状態で家事室５から洗面室３に移動する必要がある場合は、あらかじめ第２間仕切戸４ｂを開けておき、洗面室３に移動して第１間仕切戸４ａを開ければ、洗面室３にいながらも家事室５にいる子供の様子を窺いながら家事を行うことができる。
【００３４】
また間仕切収納４は、家事室５から洗面室３にいる使用者へ物を受け渡したい場合にも利用することができる。例えば、洗面室３の使用者が第１間仕切戸４ａを閉めた状態で脱衣を行い浴室８で入浴する場合、家事室５側から第２間仕切戸４ｂを開けて入浴後に必要な着替え、備品、飲料などを置いておけば、入浴後に洗面室３の使用者が第１間仕切戸４ａを開けてこれらの物品を受け取ることができ、洗面室３の使用者のプライバシーを損なうことなく家事室５側から洗面室３の使用者へ物の受渡しを行うことができる。
【００３５】
また先述したように、家事室５とダイニング１０とを行き来可能とする出入口１０ａには扉が設けられていないので家事室５からキッチン１２への移動がしやすく、洗濯工程の家事からキッチン廻りの家事へとスムーズに移行することができ、さらに、家事室５にいても疎外感を感じることなくダイニング１０、リビング１１、及びキッチン１２にいる家族の気配を感じながら家事を行うことができる。このように、家事室５を家族が過ごす居室と洗濯物１４を収納する第１ウォークインクローゼット６との間に配置しているので、利便性を向上させることができる。また、来客時などの際は、間仕切収納４の第２間仕切戸４ｂを閉めておくことで間仕切収納４内の備品などを隠蔽することができるので、ダイニング１０やリビング１１にいる来客に雑多な印象を与えることを防止できる。なお、本実施形態では家事室５に隣接する居室をダイニング１０としているが、リビング１１やキッチン１２など他の居室が隣接してもよい。
【００３６】
本発明の実施の形態は上述の形態に限ることなく、本発明の思想の範囲を逸脱しない範囲で適宜変更することができる。
【産業上の利用可能性】
【００３７】
本発明に係る家事室廻りの構造は、集合住宅などの住戸面積に制限のある狭小住宅や、幼い子供のいる子育て世帯の住宅に好適に使用することができる。
【符号の説明】
【００３８】
１        家事室廻りの構造
３        洗面室
４        間仕切収納
４１      第１間仕切戸
４２      第２間仕切戸
５        家事室
６        第１ウォークインクローゼット（ウォークインクローゼット）
１０      ダイニング（居室）
【図１】
2020063630.tif 000003
【図２】
2020063630.tif 000004
【図３】
2020063630.tif 000005
【図４】
2020063630.tif 000006
【図５】
2020063630.tif 000007